【手続補正書】
【提出日】平成19年12月21日(2007.12.21)
【手続補正１】
【補正対象書類名】明細書
【補正対象項目名】特許請求の範囲
【補正方法】変更
【補正の内容】
【特許請求の範囲】
【請求項１】被験者の間質液中のグルコースレベルを測定する発光インビボグルコース測定方法であって、
置換された発光分子を照明光で照明するステップであって、前記置換発光分子とそれにつながれた捕捉グルコース類似体分子は、前記被験者の前記間質液内に移植された移植発光インビボ測定装置内に収容されているステップと；
前記照明に応答して放射される放射光を測定するステップと；
から成り、前記放射光が前記間質液中の前記グルコースレベルに関連する、発光インビボグルコース測定方法。
【請求項２】前記間質液中の前記グルコースレベルは血中グルコースレベルと実質的に等しい、請求項１に記載の発光インビボグルコース測定方法。
【請求項３】前記被験者の血流中のグルコースレベルを測定するために使用される、請求項１に記載の発光インビボグルコース測定方法。
【請求項４】前記置換発光分子は無機物である、請求項１に記載の発光インビボグルコース測定方法。
【請求項５】前記放射光は間質グルコースレベルと相関する、請求項１に記載の発光インビボグルコース測定方法。
【請求項６】前記発光インビボ測定装置は、患者の皮膚の外表面から下の約３〜約４ミリメートルの位置に移植される、請求項１に記載の発光インビボグルコース測定方法。
【請求項７】前記照明光は第１波長を有し、前記放射光が第２波長を有する、請求項１に記載の発光インビボグルコース測定方法。
【請求項８】前記照明光は赤外線である、請求項１に記載の発光インビボグルコース測定方法。
【請求項９】前記照明光の波長は、約８００ナノメートル〜約２０００ナノメートルの範囲である、請求項１に記載の発光インビボグルコース測定方法。
【請求項１０】前記照明光の波長は約８３０ナノメートルであり、前記放射光の波長は約９００ナノメートルである、請求項１に記載の発光インビボグルコース測定方法。
【請求項１１】前記照明光は、前記被験者の外から前記被験者の皮膚を通って、前記発光インビボ測定装置内へと移動する、請求項１に記載の発光インビボグルコース測定方法。
【請求項１２】前記放射光が、前記発光インビボ測定装置から、前記被験者の皮膚を通って、前記被験者の外の領域へと移動する、請求項１に記載の発光インビボグルコース測定方法。
【請求項１３】前記発光インビボ測定装置が、
内部領域と、グルコースの通過を許容する半透膜から形成された少なくとも１つの表面領域と有する容器であって、光が該容器に入射可能な照明領域をさらに有する容器と；
少なくとも１つの内部表面領域上にあり、前記照明領域から離れた凝集層と；
前記内部領域内の複数の捕捉グルコース類似体分子と、前記複数の捕捉グルコース類似体分子のうちのある捕捉グルコース類似体分子が前記凝集層に可逆的に付着できることと；
前記内部領域内の複数の発光分子と、前記複数の発光分子のうちのある発光分子が、親水性であり、かつ前記複数の捕捉グルコース類似体分子のうちの少なくとも１つのつながれた捕捉グルコース類似体分子に結合することと；
をさらに備え、
前記被験者のグルコース分子が前記半透膜から形成された少なくとも１つの表面領域を通過して、前記凝集層に付着した時、置換発光分子およびそれにつながれた捕捉グルコース類似体分子が置換され、前記容器の前記照明領域に移動し、前記照明領域を通るすべての置換発光分子とそれにつながれた捕捉グルコース類似体分子の照明により、前記間質液の前記グルコースレベルに関連する発光が生じる、請求項１に記載の発光インビボグルコース測定方法。
【請求項１４】前記複数の発光分子は無機物である、請求項１３に記載の発光インビボグルコース測定方法。
【請求項１５】前記間質液中の前記グルコースレベルは、血中グルコースレベルと実質的に等しい、請求項１３に記載の発光インビボグルコース測定方法。
【請求項１６】前記容器は透析チューブである、請求項１３に記載の発光インビボグルコース測定方法。
【請求項１７】前記複数の無機発光分子のうちのある無機発光分子が、
コアとシェルが有する量子ドットであって、該コアが砒化インジウム、窒化インジウム、燐化インジウム、亜鉛テルル、砒化ガリウム、アンチモンガリウム、アンチモンインジウムおよび硫化鉛から成る群より選択され、該シェルが燐化インジウム、窒化インジウム、硫化カドミウム、セレン化亜鉛、硫化亜鉛およびセレン化鉛から成る群より選択される量子ドットと；
少なくとも１つの捕捉グルコース類似体分子と；
二酸化ケイ素、メルカプトカルボン酸、シアニドおよびチオールから成る群より選択され、親水性であり、かつ前記少なくとも１つの捕捉グルコース類似体分子および前記量子ドットに結合可能な少なくとも１つの結合分子と；
をさらに有する、請求項１４に記載の発光インビボグルコース測定方法。
【請求項１８】前記無機発光分子は、前記量子ドットの前記シェルを取り囲む親水性の外部シェルをさらに有し、該外部シェルに対して前記少なくとも１つの結合分子が付着する、請求項１７に記載の発光インビボグルコース測定方法。
【請求項１９】前記親水性の外部シェルが有機物である、請求項１８に記載の発光インビボグルコース測定方法。
【請求項２０】前記親水性の外部シェルがメルカプトカルボン酸、シアニド、チオール、界面活性剤および脂質二重層から成る群より選択される、請求項１９の発光インビボグルコース測定方法。
【請求項２１】前記親水性の外部シェルが無機物である、請求項１８に記載の発光インビボグルコース測定方法。
【請求項２２】前記親水性の外部シェルが二酸化ケイ素、窒化ケイ素、オキシ窒化シリコンおよびオキシ水素化シリコンから成る群より選択される、請求項２１に記載の発光インビボグルコース測定方法。
【請求項２３】前記凝集層はグルコースおよび糖類似体に対する親和性を有する、請求項１３に記載の発光インビボグルコース測定方法。
【請求項２４】前記凝集層はレクチンである、請求項１３に記載の発光インビボグルコース測定方法。
【請求項２５】前記凝集層はコンカナバリンＡである、請求項１３に記載の発光インビボグルコース測定方法。
【請求項２６】前記複数の捕捉グルコース類似体分子は多糖である、請求項１３に記載の発光インビボグルコース測定方法。
【請求項２７】前記複数の捕捉グルコース類似体分子はデキストランである、請求項１３に記載の発光インビボグルコース測定方法。
【請求項２８】被験者の間質液中のグルコースレベルを測定する発光インビボグルコース測定装置であって、
内部領域と、グルコースの通過を許容する半透膜から形成された少なくとも１つの表面領域と有する容器であって、光が該容器に入射可能な照明領域をさらに有する容器と；
少なくとも１つの内部表面領域上にあり、前記照明領域から離れた凝集層と；
前記内部領域内の複数の捕捉グルコース類似体分子と、前記複数の捕捉グルコース類似体分子のうちのある捕捉糖が前記凝集層に可逆的に付着できることと；
前記内部領域内の複数の発光分子と、前記複数の発光分子のうちのある発光分子が、親水性であり、かつ前記複数の捕捉グルコース類似体分子のうちの少なくとも１つのつながれた捕捉グルコース類似体分子に結合することと；
を備え、
前記被験者のグルコース分子が前記半透膜から形成された少なくとも１つの表面領域を通過して、前記凝集層に付着した時、置換発光分子およびそれにつながれた捕捉グルコース類似体分子は、前記容器の前記照明領域に移動し、前記照明領域を通るすべての置換発光分子とそれにつながれた捕捉グルコース類似体分子の照明により、前記間質液の前記グルコースレベルに関連する発光が生じる、発光インビボグルコース測定装置。
【請求項２９】前記間質液中の前記グルコースレベルは、血中グルコースレベルと実質的に等しい、請求項２８に記載の発光インビボグルコース測定装置。
【請求項３０】前記装置は前記被験者の血流中に移植される、請求項２８に記載の発光インビボグルコース測定装置。
【請求項３１】前記複数の発光分子は無機物である、請求項２８に記載の発光インビボグルコース測定装置。
【請求項３２】前記容器は透析チューブである、請求項２８に記載の発光インビボグルコース測定装置。
【請求項３３】前記複数の発光分子のうちのある発光分子が、
コアとシェルが有する量子ドットであって、該コアが砒化インジウム、窒化インジウム、燐化インジウム、亜鉛テルル、砒化ガリウム、アンチモンガリウム、アンチモンインジウムおよび硫化鉛から成る群より選択され、該シェルが燐化インジウム、窒化インジウム、硫化カドミウム、セレン化亜鉛、硫化亜鉛およびセレン化鉛から成る群より選択される量子ドットと；
少なくとも１つの捕捉グルコース類似体分子と；
親水性であり、かつ前記少なくとも１つの捕捉グルコース類似体分子および前記量子ドットに結合可能な少なくとも１つの結合分子と；
をさらに有する請求項３１の発光インビボグルコース測定装置。
【請求項３４】前記少なくとも１つの結合分子が、メルカプトカルボン酸、シアニドおよびチオールから成る群より選択される、請求項３３に記載の発光インビボグルコース測定装置。
【請求項３５】前記無機発光分子は、前記量子ドットの前記シェルを取り囲む親水性の外部シェルをさらに有し、該外部シェルに対して前記少なくとも１つの結合分子が付着する、請求項３３に記載の発光インビボグルコース測定装置。
【請求項３６】前記親水性の外部シェルが有機物である、請求項３５に記載の発光インビボグルコース測定装置。
【請求項３７】前記親水性の外部シェルがメルカプトカルボン酸、シアニド、チオール、界面活性剤および脂質二重層から成る群より選択される、請求項３６に記載の発光インビボグルコース測定装置。
【請求項３８】前記親水性の外部シェルが無機物である、請求項３５に記載の発光インビボグルコース測定装置。
【請求項３９】前記親水性の外部シェルが二酸化ケイ素、窒化ケイ素、オキシ窒化シリコンおよびオキシ水素化シリコンから成る群より選択される、請求項３８に記載の発光インビボグルコース測定装置。
【請求項４０】前記凝集層はグルコースおよび糖類似体に対する親和性を有する、請求項２８に記載の発光インビボグルコース測定装置。
【請求項４１】前記凝集層はレクチンである、請求項２８に記載の発光インビボグルコース測定装置。
【請求項４２】前記凝集層はコンカナバリンＡである、請求項２８に記載の発光インビボグルコース測定装置。
【請求項４３】前記捕捉グルコース類似体分子は多糖である、請求項２８に記載の発光インビボグルコース測定装置。
【請求項４４】前記複数の捕捉グルコース類似体分子はデキストランである、請求項２８に記載の発光インビボグルコース測定装置。